(57)【要約】【課題】安定して照射角度を調整可能で、照明光の一部が器具自体で遮られない照明装置を提供する。【解決手段】照明装置１００は、光源部１５と、光源部１５と一体化され光源部１５を覆う曲面殻状のカバー１３と、カバー１３の外側を覆うリング状のフレーム１２と、フレーム１２の一端側に配置される回転軸１２１と、を備え、カバー１３は、回転軸１２１を中心に回転可能であるとともに、回転軸１２１とは反対側の外表面に取り付けられた線状の第１ギア１３ａを有し、フレーム１２は、第１ギア１３ａと噛み合うように、回転可能に配置された第２ギア１３ｂを有している。【選択図】図４
2016219240.tif 000002
【特許請求の範囲】
【請求項１】
光源部と、
前記光源部と一体化され前記光源部を覆う曲面殻状のカバーと、
前記カバーの外側を覆うリング状のフレームと、
前記フレームの一端側に配置される回転軸と、を備え、
前記カバーは、前記回転軸を中心に回転可能であるとともに、前記回転軸とは反対側の外表面に取り付けられた線状の第１ギアを有し、
前記フレームは、前記第１ギアと噛み合うように、回転可能に配置された第２ギアを有していることを特徴とする照明装置。
【請求項２】
前記カバーは、前記光源部の発光窓が配置される第１開口の輪郭を、前記回転軸を中心として前記第１開口に対して所定の角度に位置する第２開口まで回転させた場合の軌跡に相当する形状を有することを特徴とする請求項１に記載の照明装置。
【請求項３】
前記第１ギアは、前記第１開口と前記第２開口とを連結するように円弧状に構成されていることを特徴とする請求項１又は２に記載の照明装置。
【発明の詳細な説明】
【技術分野】
【０００１】
本発明は、照明装置に関する。
【背景技術】
【０００２】
従来、例えば、特開２０１４−１３０７５７号公報（特許文献１）に開示されているように、照射角度の調整が可能なユニバーサルタイプの照明器具（ダウンライト）が知られている。この照明器具は、照射角度を変えた場合に照明光の一部が器具自体で遮られない（「蹴られない」ともいう。）ようにするために、照明本体１２を支持部１４から突出させるべく、照明本体１２を支持部１４の枠体４１に対して回転軸ＲＡの周りに回動可能なように構成している（特許文献１の図２（ａ）、（ｂ）を参照。なお、ここで示す符号は特許文献１によるものである）。
【０００３】
しかしながら、特許文献１の照明器具では、回転軸ＲＡが枠体４１の中心軸ＣＡ１から離れているために、回転軸ＲＡに照明本体１２の重力が大きく作用することになり、モータの非駆動時でも照明本体１２が回転してしまうおそれがあったり、また、モータの駆動時においては、照明本体１２がスムーズに回転しないおそれがあったりという問題がある。
【先行技術文献】
【特許文献】
【０００４】
【特許文献１】特開２０１４−１３０７５７号公報
【発明の概要】
【発明が解決しようとする課題】
【０００５】
本発明は、上記事情に鑑みなされたものであり、安定して照射角度を調整可能で、照明光の一部が器具自体で遮られない照明装置を提供することを目的とする。
【課題を解決するための手段】
【０００６】
本発明は、上記目的を達成するために、以下の構成によって把握される。
（１）本発明に係る照明装置は、光源部と、前記光源部と一体化され前記光源部を覆う曲面殻状のカバーと、前記カバーの外側を覆うリング状のフレームと、前記フレームの一端側に配置される回転軸と、を備え、前記カバーは、前記回転軸を中心に回転可能であるとともに、前記回転軸とは反対側の外表面に取り付けられた線状の第１ギアを有し、前記フレームは、前記第１ギアと噛み合うように、回転可能に配置された第２ギアを有していることを特徴とする。
【０００７】
（２）上記（１）の構成において、前記カバーは、前記光源部の発光窓が配置される第１開口の輪郭を、前記回転軸を中心として前記第１開口に対して所定の角度に位置する第２開口まで回転させた場合の軌跡に相当する形状を有してもよい。
【０００８】
（３）上記（１）又は（２）の構成において、前記第１ギアは、前記第１開口と前記第２開口とを連結するように円弧状に構成されていてもよい。
【発明の効果】
【０００９】
本発明によれば、安定して照射角度を調整可能で、照明光の一部が器具自体で遮られない照明装置を提供することができる。
【図面の簡単な説明】
【００１０】
【図１】本発明の実施形態に係る照明装置を通常の使用状態において下方からみた斜視図であって、（ａ）は最外部のレンズが付いている状態を、（ｂ）は最外部のレンズを取り除いてその内側にあるリフレクタを見えるようにした状態を、それぞれ示す。
【図２】本発明の実施形態に係る照明装置を上方からみた分解斜視図である。
【図３】本発明の実施形態に係る照明装置を上方からみて、チルト（上下方向の傾き変化）及びパン（水平方向の回転）の動作方向を示す斜視図である。
【図４】本発明の実施形態に係る照明装置におけるチルトの動作方向を示す断面斜視図であって、（ａ）は照明本体が直下を照らす図、（ｂ）は照明本体が左下斜めを照らす図である。
【図５】図４（ａ）の状態について、（ａ）は上方からみた平面図、（ｂ）は側方からみた断面図である。
【図６】図４（ｂ）の状態について、（ａ）は上方からみた平面図、（ｂ）は側方からみた断面図である。
【発明を実施するための形態】
【００１１】
以下、本発明を実施するための形態（以下、「実施形態」という）を、添付図面に基づいて詳細に説明する。なお、実施形態の説明の全体を通して同じ要素には同じ番号を付している。
【００１２】
（実施形態）
まず、図１、図２及び図３を参照しつつ、本発明の実施形態に係る照明装置１００の全体構成について、説明する。照明装置１００は、不図示の２つのモータを用いて、後述するように、チルト（上下方向の傾き変化）方向及びパン（水平方向の回転）方向に駆動可能に構成されている。まず、その外観を説明すると、図１（ａ）に示すように、フレーム１０の下辺にはフレームカバー１４が設けられており、フレームカバー１４の内側には光源部１５の一部であるレンズ１５４が配置されている。フレーム１０の内部には、ヒートシンクカバー１３に覆われるように、光源部１５の一部であるヒートシンク１５１が配置されている。なお、図１（ｂ）は、レンズ１５４を取り除いて、光源部１５の一部であるリフレクタ１５３を露出させた状態を示している。リフレクタ１５３の中央には、光源としてのＬＥＤ１５２が配置されている。
【００１３】
図２を参照して、より詳しく照明装置１００の構成をみていく。照明装置１００は、低背円筒状のフレーム１０と、フレーム１０の内側に配置されフレーム１０に対してパン駆動が可能な円環状のパンカバー１１と、パンカバー１１の前側（図示下側）に固定される円環状（リング状）のチルトフレーム１２（「リング状のフレーム）ともいう）と、チルトフレーム１２の外周側に固定される棒状のチルト軸１２１（「回転軸」ともいう）と、チルト軸１２１に支持されるとともにパンカバー１１及びチルトフレーム１２内に配置される曲面殻状のヒートシンクカバー１３（「曲面殻状のカバー」ともいう）と、ヒートシンクカバー１３の外表面に固定される線状のギア１３ａ（「第１ギア」ともいう）と、第１ギア１３ａと噛み合いチルトフレーム１２に回転可能に配置される点状のギア１３ｂ（「第２ギア」ともいう）と、フレーム１０の前側開口に固定される円環状のフレームカバー１４と、を備える。なお、チルトフレーム１２は、ヒートシンクカバー１３の外側を覆うように配置されている。
【００１４】
そして、ヒートシンクカバー１３は、光源部１５と一体化されて固定されている。光源部１５は、ヒートシンク１５１と、ヒートシンク１５１の前側平面（図示下面）に直接又は間接的に固定される光源としてのＬＥＤ１５２と、ＬＥＤ１５２の前側に配置されるすり鉢状のリフレクタ１５３と、リフレクタ１５３の前側開口に固定される円板状のレンズ１５４（例えば、フレネルレンズ）と、を有している。
【００１５】
本発明では、光源部１５をチルト駆動する機構（チルト駆動部）に特徴があるが、ここでいうチルト駆動は、図３の矢印Ａの方向（上下方向の傾き変化）に駆動することを指す。以下、チルト駆動について説明する。なお、パン駆動は、図３の矢印Ｂの方向（水平方向の回転）へ駆動することを指す。
【００１６】
先の図２に示すように、ヒートシンクカバー１３は、曲面殻状の本体部１３１と、本体部１３１の下側開口の一端側に設けられチルト軸１２１に対して回転可能に取り付けられる把持部１３２と、を有している。
【００１７】
そして、ヒートシンクカバー１３の本体部１３１は、チルト駆動する前の状態（図４（ａ）参照）において下方を向く円形の開口１３３（「第１開口」ともいう）を有するとともに、第１開口１３３に対して把持部１３２（チルト軸１２１）を中心として傾く円形の開口１３４（「第２開口」ともいう）と、を有している。第１開口１３３の径は、リフレクタ１５３の前側端部（レンズ１５４が配置される部分であり、光源部１５の発光窓に略相当）が嵌る大きさとなっている。第１開口１３３と第２開口１３４は、本実施形態では、チルト軸１２１に垂直な断面構造において、所定の角度として、約５０°の角度をなすように構成されている。したがって、本実施形態に係る照明装置１００は、照射角度を最大で約５０°変えることができる。
【００１８】
ヒートシンクカバー１３の本体部１３１の曲面形状は、把持部１３２を回転中心として、第１開口１３３の輪郭を第２開口１３４の位置まで回転させた際に形成される軌跡に略相当する。したがって、本体部１３１の把持部１３２とは反対側の断面形状（把持部１３２（チルト軸１２１）に垂直な断面形状）は、把持部１３２を中心とする円弧形状になる。
【００１９】
次に、図４、図５及び図６を参照して、チルト駆動の構成と動作を説明する。図４（ａ）に示すように、第１ギア１３ａは、把持部１３２とは反対側の外表面に固定され、前述した円弧形状に沿い第１開口１３３と第２開口１３４を連結するように円弧状に形成されている。第１ギア１３ａには、この曲線に沿って凹凸構造が繰り返し形成されている。図４（ａ）の状態を上方からみた場合の平面図を図５（ａ）に、側方からみた場合の断面図を図５（ｂ）にそれぞれ示す。
【００２０】
次に、第２ギア１３ｂは、チルトフレーム１２の、チルト軸１２１が取り付けられる側とは反対側に、第１ギア１３ａと噛み合うように取り付けられている。第２ギア１３ｂは、不図示のモータの回転軸に固定され、モータの駆動に合わせて回転する。
【００２１】
したがって、モータを駆動させると第２ギア１３ｂが回転し、図４（ｂ）に示すように、第２ギア１３ｂの回転に伴って第１ギア１３ａ及び第１ギア１３ａに固定されたヒートシンクカバー１３が、チルト軸１２１を中心として回転する。ヒートシンクカバー１３には光源部１５が固定されているので、モータの回転角に応じて、チルト方向の照射角度を変えることができる。図４（ｂ）の状態を上方からみた場合の平面図を図６（ａ）に、側方からみた場合の断面図を図６（ｂ）にそれぞれ示す。
【００２２】
以上のようにチルト駆動部を構成することにより、内部に光源部１５を有するヒートシンクカバー１３を、光軸を通る断面内の両端（互いに対向する位置）に配置される関係にある把持部１３２と第１ギア１３ａの２点で支持することができるので、従来の一点支持に比べて安定して照射角度を調整することができる。
【００２３】
（変形例）
上記した実施形態はこれに限ることなく、次のような変形を加えることができる。例えば、変形例１として、チルト駆動及びパン駆動は、モータを用いることなく手動で調整するようにしてもよい。また、変形例２として、チルト駆動及びパン駆動に加えて、ズーム駆動ができるように構成してもよいし、チルト駆動のみとしてもよい。さらに、変形例３として、チルト軸１２１をチルトフレーム１２に回転可能に取り付け、ヒートシンクカバー１３の把持部１３２をチルト軸１２１に（回転しないように）固定してもよい。さらにまた、変形例４として、レンズ１５４に代えて、例えば、拡散性を有する部材を配置してもよい。
【００２４】
このように、本発明は、具体的な実施形態に限定されるものではなく、種々の変更を行ったものも含まれるものであり、そのことは、当業者にとって特許請求の範囲の記載から明らかである。
【符号の説明】
【００２５】
１００…照明装置
１０…フレーム
１１…パンカバー
１２…チルトフレーム（リング状のフレーム）
１２１…チルト軸（回転軸）
１３…ヒートシンクカバー（曲面殻状のカバー）
１３１…本体部
１３２…把持部
１３３…下方を向く円形の開口（第１開口）
１３４…傾く円形の開口（第２開口）
１３ａ…線状のギア（第１ギア）
１３ｂ…点状のギア（第２ギア）
１４…フレームカバー
１５…光源部
１５１…ヒートシンク
１５２…ＬＥＤ（光源）
１５３…リフレクタ
１５４…レンズ
【図１】
2016219240.tif 000003
【図２】
2016219240.tif 000004
【図３】
2016219240.tif 000005
【図４】
2016219240.tif 000006
【図５】
2016219240.tif 000007
【図６】
2016219240.tif 000008